(57)【要約】　　　（修正有）【課題】ＩＰ（イメージングプレート）の再利用を図り、加えて測定及び定量を精度良く、かつ能率良く行なう。【解決手段】ＩＰと試料のとの間に配設する、トリチウム（３Ｈ）から放出される軟β線のプラスチック内の最大飛程（約、１０マイクロメータ）より充分に薄く（約１．２〜３．５マイクロメータ）、放射性物質を透過させない合成高分子フィルムを枠に張着して成るＩＰ保護シートを、ＩＰと試料との間に配設したまま、ＩＰと試料を圧接させ、ＩＰと試料との距離を一定に保持して、ＩＰの汚染を防ぎ、二次元放射能分布測定又は定量を行う。【選択図】　図１
0003099526.tif 000002
【実用新案登録請求の範囲】
【請求項１】
トリチウムから放出される軟β放射線のプラスチック内の最大飛程より充分薄く、かつ、放射性物質を透過させない合成高分子フィルムを枠に張着したことより成るイメージングプレート保護シート。
【考案の詳細な説明】
【０００１】
【考案の属する技術分野】
本考案は、ライフサイエンス分野などでのイメージングプレート（輝尽性蛍光材料、以下、ＩＰという。）を用いたβ核種の二次元放射能分布測定又は定量技術に関する。
【０００２】
【従来の技術】
従来、ライフサイエンス分野などでのβ核種の二次元放射能分布測定又は定量には、大略、次に述べるような幾つの方法が採用されていた。
（１）フルオログラフィ
クロマトグラフィや電気泳動法で展開した濾紙や薄層に、シンチレータを吹き掛け乾燥後、医学用Ｘ線フィルム又はＩＰ上に配設し、暗室環境で２４時間曝露する。
【０００３】
上記フルオログラフィによるときは、
ａ　医学用Ｘ線フィルム又はＩＰが放射性廃棄物となり、後始末がやっかいであ
る。フィルム又はＩＰが再利用できず、経済的ではない。
ｂ　化合物の標識核種がトリチウムの場合、β放射線（以下、「β線」という。）のエネルギーが低いので展開支持体中に吸収され、医学用Ｘ線フィルム又はＩＰに曝露する割合が極めて小さいので、感度を良くするためには曝露時間を
長くせざるを得ず、研究の効率化が図れない。
【０００４】
（２）液体シンチレーションカウンタ法
クロマトグラフィや電気泳動法で展開した濾紙や薄層のスポットを掻き取り、又は注目臓器等を取り出して処理し、液体シンチレーションカウンタで測る。
この方法では、
ａ　微細な放射能分布が把握できない。
ｂ　使用済みラジオアイソトープを含む液体状シンチレータの廃棄がやっかい。
【０００５】
（３）ラジオグラフィー（ラジオルミノグラフィー）
クロマトグラフィや電気泳動法で展開した濾紙や薄層、スライスした実験動物等を医学用Ｘ線フィルム又はＩＰ上に配設し、曝露、測定する。
その場合、
ａ　医学用Ｘ線フィルム又はＩＰ上に直接試料を配設し、試料の放射能分布測定
又は定量を行うコンタクト法。
ｂ　医学用Ｘ線フィルム又はＩＰと試料との間に距離を保つためのスペーサを配設し、試料の放射能分布測定又は定量を行うＦｌｏａｔｉｎｇ　ｒａｄｉｏ−ｌｕｍｉｎｏｇｒａｐｈｙ（以下、「ＦＲＬＧ法」という。）法。
ｃ　プラスチックを蒸発させて試料に薄膜をコーティングする蒸着法。
等がある。
【０００６】
前記ラジオグラフィー（ラジオルミノグラフィー）において、
ａ　ＩＰを用いたコンタクト法では、ＩＰが汚染され再利用ができないため、費用が掛かる。又、ＩＰが放射性廃棄物となり、廃棄がやっかいである。
ｂ　医学用Ｘ線フィルムを用いたコンタクト法又はＦＲＬＧ法では、β線に対して感度が悪く、曝露時間を長くせざるを得ないから研究の効率化が図れない。
【０００７】
ｃ　ＦＲＬＧ法では、試料とＩＰとの距離を一定にすることが困難で、計数効率を一定に保つことは難しく、定量測定には不適である。
又、汚染を避けるために試料とＩＰとの間隔を離した場合は、感度を良くすために曝露時間を長くせざるを得ず、研究の効率化が図れない。
ｄ　試料とＩＰとの間を真空にする方法は、標識核種が飛散し易いため使用化合物が限定される。
ｅ　蒸着法は、コーティング厚さを一定にするのに技術的な熟練を要し、試料とＩＰとの距離を一定にすることが困難で、又、作成費用が高価である。
と言った、それぞれ、不都合がある。
【０００８】
【考案が解決しようとする課題】
本考案は、上記ＦＲＬＧ法のうち、ＩＰを用いたβ核種の二次元放射能分布測定又は定量において、ＩＰの汚染を避けて再利用を可能にすると共に、ＩＰと試料との距離を短く一定に保って、二次元放射能分布測定又は定量を精度良く、かつ効率よく行う事ができるＩＰ保護シートを提供しようとするものである。
【０００９】
【課題を解決するための手段】
本考案は、ＩＰと試料との間に配設する、トリチウム（　３Ｈ）から放出される軟β線のプラスチック内の最大飛程（約、１０マイクロメータ）より充分に薄く、かつ、放射性物質を透過させない合成高分子フィルムを枠に張着して成るＩＰ保護シートを、ＩＰと試料との間に配設した侭、ＩＰと試料とを圧接させ、ＩＰと試料との距離を一定に保持して、二次元放射能分布測定又は定量を行うことを特徴とする。
【００１０】
【考案の実施の形態】
ＩＰと試料との間に配設する枠に張着したＩＰ保護シートで、前記シートは、ａ　トリチウムから放出される軟β線のプラスチック内の最大飛程より充分に薄く（略、１．２〜３．５マイクロメータ程度）、かつ、一定の厚みを備えている。
ｂ　放射性物質を透過させない。
ｃ　全般的に緊張していて、皺、弛み、重なりが無い。
合成高分子フィルムより成る。
【００１１】
【実施例】
図１は、本考案の一実施例を示すもので、その（ａ）は、平面図、（ｂ）は、図１（ａ）中、Ｂ−Ｂ線に沿って切断した一部断面拡大図である。
図中、枠１は、クラフト紙又はスチロール系薄板材料の型抜き枠（額縁枠）より成り、略、２００×２５０ミリメートル角及び／又は２００×４００ミリメートル角の矩形体で、中央部が窓状に空いており、枠縁の幅は、略、５ミリメートル、（二重になっている）全体の厚さは、０．５ミリメートル程度である。
前記枠材は、外力に対し保形性を備えた弾性部材であれば良く、必ずしも上記材料に、こだわるものではない。
【００１２】
上記枠１には、外形が略、枠１と同一形のポリフェニレンサルファイド（ＰＰＳ）フィルム（東レ製品、商品名「トレリナ」）、膜厚、１．２マイクロメータ程度のシートを接着材３を介して接着し、前記シート（薄膜）２によじれや皺、重なりを生じさせることなく、枠１に張設する〔図１（ｂ）参照〕。
【００１３】
図１（ｂ）は、上記シート２を挟み、その縁辺上下面を接着材３を介して枠１を張着して成る本実施例の一部拡大断面を示している。
当該接着材３は、両面接着シートで代換え可能であることは勿論である。
要は、上記ポリフェニレンサルファイド（ＰＰＳ）フィルムを、よじれや皺、重なりを生じさせることなく枠１に張設できる事が肝要である。
なお、上記枠１は必ずしも、プラスチックシート２を上下面から挟む事を要さない。
【００１４】
図２は、本実施例の使用態様を示すもので、上部開放の浅底函形のカセッテ４の函底面から順次、トリチウムで処理された試料５、本実施例ＩＰ保護シート２及びＩＰ６を重ね、シート２を挟んだ侭、ＩＰ６を試料５側に圧接し、試料５の軟β線の二次元放射能分布測定又は定量を行う。
本実施例では、試料５とＩＰ６との間に、枠１に張着したポリフェニレンサルファイドよりなる充分に薄い（１．２マイクロメータ厚、程度）フィルムを挿入して、両者の間を短い一定厚（距離）に保持するから、β核種の二次元放射能分布測定又は定量に不測の悪影響を及ぼすことがなく、測定又は定量精度を良好に行うことができる。
又、感度良く測定ができ、曝露時間を短縮することが可能なため研究の効率化を図ることができる。
【００１５】
又、前記シート２は、材質の特性上、極めて耐薬品性、耐加水分解性に優れ、かつ、他のフィルムに比べて長時間、外力が加わっても寸法変化が少ない特徴があり、材質的に安定して放射性物質を透過させることがないから、試料５に対しＩＰ６を汚染させることなく、その再使用を可能とする。
なお、シート２の材質は、必ずしも、ポリフェニレンサルファイドフィルムであることを要さず、特性上、同等の合成高分子フィルムであれば、これを排除べき理由はない。
更に、本実施例は、資材が軽量安価で、計測、定量毎に使い捨てをしても、比較的に経費が掛かることは無い。
【００１６】
【考案の効果】
以上説明したように、本考案イメージングプレート保護シートをＩＰと試料との間に挿入してβ核種の二次元放射能分布又は測定をする場合、
ａ　ＩＰの再使用を可能とする。
ｂ　トリチウムの軟β線を定量する場合、他の方法のうち、最も感度の良い液体シンチレーションカウンター法と同等の感度を持つことが可能であるから、研究の効率化が図れる。
【００１７】
ｃ　液体シンチレーションカウンター法と比較して放射能分布が詳細に測定することができる。
ｄ　ライフサイエンス分野とうでのトリチウムの軟β線の二次元放射能分布測定又は定量を、精度良く行うことができる。
と言った、格別の作用、効果を期待することができる。
【図面の簡単な説明】
【図１】本考案イメージングプレート保護シートの図である。
【図２】本考案イメージングプレート保護シートの使用態様を示した説明図である。
【符号の説明】
１　枠
２　シート（フィルム又は薄膜）
３　接着材
４　カセッテ
５　試料
６　イメージングプレート（ＩＰ）
【図１】
0003099526.tif 000003
【図２】
0003099526.tif 000004